(57)【特許請求の範囲】
【請求項１】
ベースを含み、前記ベースの上方にはハウジングが固定的に設けられ、前記ベースにおいて上端面の中部には第一回転軸が回転可能に装着され、前記第一回転軸が上方の前記ハウジングに伸び、前記第一回転軸には従動輪が固定的に設けられ、前記従動輪において水平位置の右側には駆動輪が設けられ、前記駆動輪と前記従動輪とはベルトで連結され、前記駆動輪は第二回転軸に固定的に設けられ、前記第二回転軸は第一モータに連結され、前記第一モータは前記ベースの上端面の右側に固定的に設けられ、前記第一回転軸において前記ハウジングの中に位置した一端には湾曲ロッドが固定的に設けられ、前記湾曲ロッドには回転テーブルが固定的に装着され、前記回転テーブルの下端面には固定装置が設けられ、前記固定装置は塗料を噴きつける必要な金属パイプを固定することができ、前記ハウジングにおいて上半部分の左右両側には塗料噴きつけ装置が対称的に設けられ、前記ハウジングの上半部分の前後両壁には乾燥装置が対称に設けられ、前記ハウジングの下半部分には液体貯蔵空間が設けられ、前記液体貯蔵空間は流れ落ちる余分な塗料を貯蔵することができ、前記液体貯蔵空間の右側には液体排出弁が設けられており、
前記固定装置は前記回転テーブルの下端面に固定的に設けられた収容箱を含み、前記収容箱の左側壁の外には第二モータが固定的に設けられ、前記第二モータには第一ウォームが連結され、前記第一ウォームには左右反対方向にねじ山が設けられ、前記第一ウォームの左右両端には第一ウォームホイールが対称的に噛み合っており、左右両側の前記第一ウォームホイールには固定ロッドが固定的に装着され、前記固定ロッドの外側には複数の固定ブロックが縦方向に配列され、前記固定ブロックにおいて前記固定ロッドと離れた端にはゴムパッドが固定的に設けられており、
前記塗料噴きつけ装置は前記ハウジングにおいて上半部分の左右両壁に固定的に設けられた上下対称に装着された支持ブロックを含み、上側の前記支持ブロックの上端面には第三モータが設けられ、前記第三モータは前記支持ブロックに回転可能に装着された第二ウォームに連結され、前記第二ウォームには第二ウォームホイールが噛み合っており、前記第二ウォームホイールにおいて前記ハウジングと離れた端にはスライダが設けられ、前記スライダの内部には錆落とし装置が設けられ、前記スライダの上端面にはノズルが設けられ、前記ノズルには伸縮パイプが連結され、前記伸縮パイプには塗料導入パイプが連結され、前記塗料導入パイプは前記ハウジングの外側に固定的に設けられた塗料貯蔵箱の中に延びており、前記塗料貯蔵箱の上端面には空気ポンプが設けられ、前記空気ポンプにおいて前記ハウジングから離れた側には第一空気入口が設けられ、前記空気ポンプの他端には第一空気入りパイプが設けられており、
前記錆落とし装置は前記スライダの中に左右にスライド可能に装着されたラックを含み、前記スライダの中には前記ラックの移動距離を制限するスライド空間が設けられ、前記ラックにおいて前記スライダの外側に位置した端には錆落とし片が設けられ、前記ラックは歯車と噛み合っており、前記歯車には第四モータが連結されており、
前記乾燥装置は前記ハウジングの前後壁に固定的に且つ対称的に設けられた空気入り網を含み、前記空気入り網には第二空気入りパイプが連結され、前記第二空気入りパイプにはファンが設けられ、前記第二空気入りパイプの他端には暖空気箱が連結され、前記暖空気箱は前記ハウジングに固定的に設けられ、前記暖空気箱の外側には第二空気入口が設けられていることを特徴とする金属パイプ用の塗料噴きつけと乾燥装置。
【発明の詳細な説明】
【技術分野】
【０００１】
本願発明は塗料の技術分野に関し、具体的には金属パイプ用の塗料噴きつけと乾燥装置である。
【背景技術】
【０００２】
金属パイプは建設工学に必要な材料であり、石油、天然ガスなどの伝送分野で広く使用され、金属パイプは通常、使用前に塗料を噴きつけ、これにより、パイプの腐食速度を効果的に遅らせ、パイプの寿命を延ばすことができ、既存の塗料噴きつけ装置は金属パイプに塗装する時に、通常、表面に錆び落としや塗料噴きつけと乾燥処理を行う必要があるが、既存の金属パイプ処理装置は基本的に段階的に作業し、この処理方法は作業効率が低く、金属パイプの迅速な製造に多大な不便をもたらすと同時に、使用される錆落としと、塗料噴きつけと乾燥装置が複雑であり、金属パイプの錆落としと、塗料噴きつけと乾燥の効果は理想的ではない。
【先行技術文献】
【特許文献】
【０００３】
【特許文献１】中国特許出願公開第１０６６２２８２８号明細書
【発明の概要】
【発明が解決しようとする課題】
【０００４】
本願発明は、金属パイプ用の塗料噴きつけと乾燥装置を提供することにより、上記の既存する技術欠点を克服する。
【課題を解決するための手段】
【０００５】
上記の課題を解決するため、本願発明は以下の技術プランを採用する：本願発明の金属パイプ用の塗料噴きつけと乾燥装置はベースを含み、前記ベースの上方にはハウジングが固定的に設けられ、前記ベースにおいて上端面の中部には第一回転軸が回転可能に装着され、前記第一回転軸が上方の前記ハウジングに伸び、前記第一回転軸には従動輪が固定的に設けられ、前記従動輪において水平位置の右側には駆動輪が設けられ、前記駆動輪と前記従動輪とはベルトで連結され、前記駆動輪は第二回転軸に固定的に設けられ、前記第二回転軸は第一モータに連結され、前記第一モータは前記ベースの上端面の右側に固定的に設けられ、前記第一回転軸において前記ハウジングの中に位置した一端には湾曲ロッドが固定的に設けられ、前記湾曲ロッドには回転テーブルが固定的に装着され、前記回転テーブルの下端面には固定装置が設けられ、前記固定装置は塗料を噴きつける必要な金属パイプを固定することができ、前記ハウジングにおいて上半部分の左右両側には塗料噴きつけ装置が対称的に設けられ、前記ハウジングの上半部分の前後両壁には乾燥装置が対称に設けられ、前記ハウジングの下半部分には液体貯蔵空間が設けられ、前記液体貯蔵空間は流れ落ちる余分な塗料を貯蔵することができ、前記液体貯蔵空間の右側には液体排出弁が設けられている。
【０００６】
更の技術プラン、前記固定装置は前記回転テーブルの下端面に固定的に設けられた収容箱を含み、前記収容箱の左側壁の外には第二モータが固定的に設けられ、前記第二モータには第一ウォームが連結され、前記第一ウォームには左右反対方向にねじ山が設けられ、前記第一ウォームの左右両端には第一ウォームホイールが対称的に噛み合っており、左右両側の前記第一ウォームホイールには固定ロッドが固定的に装着され、前記固定ロッドの外側には複数の固定ブロックが縦方向に配列され、前記固定ブロックにおいて前記固定ロッドと離れた端にはゴムパッドが固定的に設けられている。
【０００７】
優選の技術プランとして、前記塗料噴きつけ装置は前記ハウジングにおいて上半部分の左右両壁に固定的に設けられた上下対称に装着された支持ブロックを含み、上側の前記支持ブロックの上端面には第三モータが設けられ、前記第三モータは前記支持ブロックに回転可能に装着された第二ウォームに連結され、前記第二ウォームには第二ウォームホイールが噛み合っており、前記第二ウォームホイールにおいて前記ハウジングと離れた端にはスライダが設けられ、前記スライダの内部には錆落とし装置が設けられ、前記スライダの上端面にはノズルが設けられ、前記ノズルには伸縮パイプが連結され、前記伸縮パイプには塗料導入パイプが連結され、前記塗料導入パイプは前記ハウジングの外側に固定的に設けられた塗料貯蔵箱の中に延びており、前記塗料貯蔵箱の上端面には空気ポンプが設けられ、前記空気ポンプにおいて前記ハウジングから離れた側には第一空気入口が設けられ、前記空気ポンプの他端には第一空気入りパイプが設けられている。
【０００８】
優選の技術プランとして、前記錆落とし装置は前記スライダの中に左右にスライド可能に装着されたラックを含み、前記スライダの中には前記ラックの移動距離を制限するスライド空間が設けられ、前記ラックにおいて前記スライダの外側に位置した端には錆落とし片が設けられ、前記ラックは歯車と噛み合っており、前記歯車には第四モータが連結されている。
【０００９】
優選の技術プランとして、前記乾燥装置は前記ハウジングの前後壁に固定的に且つ対称的に設けられた空気入り網を含み、前記空気入り網には第二空気入りパイプが連結され、前記第二空気入りパイプにはファンが設けられ、前記第二空気入りパイプの他端には暖空気箱が連結され、前記暖空気箱は前記ハウジングに固定的に設けられ、前記暖空気箱の外側には第二空気入口が設けられている。
【発明の効果】
【００１０】
本願発明はウォームホイールとウォームにより左右両側のノズルを移動させ、金属パイプに塗料を噴きつけ、金属パイプの塗料噴きつけ範囲がより全面的になり、塗料噴きつけの均一性が確保され、錆落とし装置が設けられており、金属パイプの表面の塗料噴きつけの不均一を回避し、塗料噴きつけ効果を改善する。設けられた乾燥装置で塗料を乾燥させると、塗料噴きつけの生産効率が向上し、塗料を噴きつけた後、残った塗料は回転テーブルから液体貯蔵空間の中に滑り落ちて集められ、その後の処理後に再び使用でき、浪費を避ける。
【図面の簡単な説明】
【００１１】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の金属パイプ用の塗料噴きつけと乾燥装置の全体構成模式図
【図２】図２は図１の左視断面図
【図３】図３は図１におけるＡ―Ａの断面図
【図４】図４は図１における塗料噴きつけ装置の拡大構造模式図
【図５】図５は図４におけるＢ―Ｂの断面図
【発明を実施するための形態】
【００１３】
ここでは図１〜５を参照し、本願発明の金属パイプ用の塗料噴きつけと乾燥装置はベース１０を含み、前記ベース１０の上方にはハウジング１１が固定的に設けられ、前記ベース１０において上端面の中部には第一回転軸１３が回転可能に装着され、前記第一回転軸１３が上方の前記ハウジング１１に伸び、前記第一回転軸１３には従動輪１４が固定的に設けられ、前記従動輪１４において水平位置の右側には駆動輪１７が設けられ、前記駆動輪１７と前記従動輪１４とはベルト１５で連結され、前記駆動輪１７は第二回転軸１６に固定的に設けられ、前記第二回転軸１６は第一モータ１２に連結され、前記第一モータ１２は前記ベース１０の上端面の右側に固定的に設けられ、前記第一回転軸１３において前記ハウジング１１の中に位置した一端には湾曲ロッド１９が固定的に設けられ、前記湾曲ロッド１９には回転テーブル２０が固定的に装着され、前記回転テーブル２０の下端面には固定装置１０１が設けられ、前記固定装置１０１は塗料を噴きつける必要な金属パイプを固定することができ、前記ハウジング１１において上半部分の左右両側には塗料噴きつけ装置１０２が対称的に設けられ、前記ハウジング１１の上半部分の前後両壁には乾燥装置１０３が対称に設けられ、前記ハウジング１１の下半部分には液体貯蔵空間２８が設けられ、前記液体貯蔵空間２８は流れ落ちる余分な塗料を貯蔵することができ、前記液体貯蔵空間２８の右側には液体排出弁１８が設けられ、第一モータ１２を起動し、前記第一モータ１２は前記第二回転軸１６を回転させ、前記第二回転軸１６は前記駆動輪１７を回転させ、前記駆動輪１７は前記ベルト１５により前記従動輪１４を回転させ、前記従動輪１４は前記湾曲ロッド１９により前記回転テーブル２０を回転させ、金属パイプの回転外面を均一に塗装することができる。
【００１４】
前記固定装置１０１は前記回転テーブル２０の下端面に固定的に設けられた収容箱３０を含み、前記収容箱３０の左側壁の外には第二モータ２１が固定的に設けられ、前記第二モータ２１には第一ウォーム２２が連結され、前記第一ウォーム２２には左右反対方向にねじ山が設けられ、前記第一ウォーム２２の左右両端には第一ウォームホイール２３が対称的に噛み合っており、左右両側の前記第一ウォームホイール２３には固定ロッド２４が固定的に装着され、前記固定ロッド２４の外側には複数の固定ブロック２５が縦方向に配列され、前記固定ブロック２５において前記固定ロッド２４と離れた端にはゴムパッド２６が固定的に設けられ、前記第二モータ２１を始動し、前記第一ウォーム２２を回転させ、前記第一ウォーム２２が前記第一ウォームホイール２３を外側に移動させ、前記第一ウォームホイール２３が前記固定ロッド２４を移動させ、塗料を噴きつける必要な金属パイプを固定する。
【００１５】
前記塗料噴きつけ装置１０２は前記ハウジング１１において上半部分の左右両壁に固定的に設けられた上下対称に装着された支持ブロック４３を含み、上側の前記支持ブロック４３の上端面には第三モータ４０が設けられ、前記第三モータ４０は前記支持ブロック４３に回転可能に装着された第二ウォーム４４に連結され、前記第二ウォーム４４には第二ウォームホイール４５が噛み合っており、前記第二ウォームホイール４５において前記ハウジング１１と離れた端にはスライダ４６が設けられ、前記スライダ４６の内部には錆落とし装置１０４が設けられ、前記スライダ４６の上端面にはノズル４２が設けられ、前記ノズル４２には伸縮パイプ４１が連結され、前記伸縮パイプ４１には塗料導入パイプ３９が連結され、前記塗料導入パイプ３９は前記ハウジング１１の外側に固定的に設けられた塗料貯蔵箱５１の中に延びており、前記塗料貯蔵箱５１の上端面には空気ポンプ３７が設けられ、前記空気ポンプ３７において前記ハウジング１１から離れた側には第一空気入口３６が設けられ、前記空気ポンプ３７の他端には第一空気入りパイプ３８が設けられ、塗料を噴きつける時、空気ポンプ３７を始動し、塗料貯蔵箱５１の中に空気を吸い込み、塗料貯蔵箱５１の中の圧力を上昇させ、塗料を塗料入口パイプ３９によりノズル４２に押し込んで噴き出し、第三モータ４０を始動し、第二ウォーム４４を回転させ、第二ウォーム４４は第二ウォームホイール４５を上下に移動させ、第二ウォームホイール４４はスライダ４６を移動させ、それによりノズル４２は金属パイプを完全に塗料を噴き付けることができる。
【００１６】
前記錆落とし装置１０４は前記スライダ４６の中に左右にスライド可能に装着されたラック４９を含み、前記スライダ４６の中には前記ラック４９の移動距離を制限するスライド空間５０が設けられ、前記ラック４９において前記スライダ４６の外側に位置した端には錆落とし片４７が設けられ、前記ラック４９は歯車４８と噛み合っており、前記歯車４８には第四モータ５１が連結され、前記第四モータ５１が起動されて前記歯車４８を回転させ、前記歯車４８が前記ラック４９を伸び出させ、錆落とし片４７が金属パイプに接触して錆を落とす。
【００１７】
前記乾燥装置１０３は前記ハウジング１１の前後壁に固定的に且つ対称的に設けられた空気入り網３１を含み、前記空気入り網３１には第二空気入りパイプ３２が連結され、前記第二空気入りパイプ３２にはファン３３が設けられ、前記第二空気入りパイプ３２の他端には暖空気箱３４が連結され、前記暖空気箱３４は前記ハウジング１１に固定的に設けられ、前記暖空気箱３４の外側には第二空気入口３５が設けられ、金属パイプの塗料を乾燥させるとき、ファン３３を始動し、暖空気箱３４の中の温風を吸い込み、第二空気入りパイプ３２により空気入り網３１からハウジング１１の中に吸い込まれ、乾燥を行う。
【００１８】
初期状態では、金属パイプを固定ロッド２４に入れ、第二モータ２１を始動し、第一ウォーム２２を回転させ、第一ウォーム２２が第一ウォームホイール２３を外側に移動させ、第一ウォームホイール２３が固定ロッド２４を移動させ、塗料を噴きつける金属パイプを固定し、
第四モータ５１を始動し、歯車４８を回転させ、歯車４８がラック４９を伸び出させ、錆落とし片４７が金属パイプに接触し、第三モータ４０を始動し、第二ウォーム４４を回転させ、第二ウォーム４４が第二ウォームホイール４５を上下に移動させ、第二ウォームホイール４４はスライダ４６を移動させ、金属パイプを完全に塗料を噴き付けることができ、
第一モータ１２を起動し、第一モータ１２は第二回転軸１６を回転させ、第二回転軸１６は駆動輪１７を回転させ、駆動輪１７はベルト１５により従動輪１４を回転させ、従動輪１４は湾曲ロッド１９により回転テーブル２０を回転させ、金属パイプを回転させ、
空気ポンプ３７を始動し、塗料貯蔵箱５１の中に空気を吸い込み、塗料貯蔵箱５１の中の圧力を上昇させ、塗料を塗料入口パイプ３９によりノズル４２に押し込んで噴き出し、第三モータ４０を始動し、第二ウォーム４４を回転させ、第二ウォーム４４は第二ウォームホイール４５を上下に移動させ、第二ウォームホイール４４はスライダ４６を移動させ、それによりノズル４２は金属パイプを完全に塗料を噴き付けることができ、
ファン３３を始動し、暖空気箱３４の中の温風を吸い込み、第二空気入りパイプ３２により空気入り網３１からハウジング１１の中に吸い込まれ、乾燥を行う。
【００１９】
上記方式により、本分野の当業者は本願発明の範囲内で作動状況に応じて各種な改変を加えられる。
【要約】      （修正有）【課題】金属パイプ用の塗料噴きつけと乾燥装置の提供。【解決手段】ベース１０を含み、前記ベースの上方にはハウジング１１が固定的に設けられ、前記ベースにおいて上端面の中部には第一回転軸１３が回転可能に装着され、前記第一回転軸に回転テーブル２０が設けられ、前記回転テーブルの下端面には固定装置１０１が設けられ、前記ハウジングにおいて上半部分の左右両側には塗料噴きつけ装置１０２が対称的に設けられ、前記ハウジングの上半部分の前後両壁には乾燥装置が対称に設けられ、ウォームホイール２３とウォーム２２により左右両側のノズルを移動させ、金属パイプに塗料を噴きつけ、金属パイプの塗料噴きつけ範囲がより全面的になり、塗料噴きつけの均一性が確保され、錆落とし装置が設けられており、金属パイプの表面の塗料噴きつけの不均一を回避し、塗料噴きつけ効果を改善する。【選択図】図１【図１】
0006859538.tif 000002
【図２】
0006859538.tif 000003
【図３】
0006859538.tif 000004
【図４】
0006859538.tif 000005
【図５】
0006859538.tif 000006